Podtech/llm-jp-corpus-v4-ja_patent huggingface dataset:
(57)【要約】      （修正有）【課題】ビ−ルや発泡系飲料の発泡を促す発泡源を容器本体に直接加工を施す事なく、上面の泡層を維持持続させる事が出来る飲料容器の提供。          【解決手段】木材の年輪層又は気孔が上下面に位置する様に輪切りにして、其の木材片１外周に弾性材２を嵌め込んで、之を容器内面の底部位置に着脱自在に弾圧着させて気孔から発生する気泡を活性化させる。【選択図】図４−Ａ
0003119543.tif 000002
【実用新案登録請求の範囲】
【請求項１】
輪切りにした木材片と、この木材片をその年輪層が上下面に位置する様、内面底部位置に着脱自在に設置する容器本体とでなした事を特徴とする飲料用容器。
【請求項２】
木材片の外周に弾性リングを装備し、この弾性リングを容器本体の内面底部位置に弾圧着させた事を特徴とした請求項１記載の飲料用容器。
【請求項３】
木材片を容器本体の底部に空間を形成する様に設置した事を特徴とした請求項１から２記載の飲料用容器。
【考案の詳細な説明】
【技術分野】
【０００１】
本考案はビ−ル類等の泡立ちを活性化させて、飲料欲を促進させる容器に関するものである。
【背景技術】
【０００２】
各種原材料で加工された既存の飲料用容器にビ−ルや発泡系飲料を注ぐと上面に泡の層が形成されるが短時間にして消滅する事となる。そこで発泡源を得る手段として、例えばガラスや陶磁器等の容器内面にサンダ−加工やサンドブラスト加工、あるいはガラス粉やガラス粒を容器本体に直接接合又は溶融加工をなし微細な凹凸を形成し、又は凹部の底に残留させた核より発泡をさせて泡立ての向上とその消失時間を長くしている。
【考案の開示】
【考案が解決しようとする課題】
【０００３】
本考案に於いては、発泡源を飲料用容器本体に直接加工を施すことなく発泡の活性化を促すことを課題とする。
【課題を解決するための手段】
【０００４】
前述を解決する為の本考案は、年輪層が上下面に位置する様に輪切りにした木材片を容器本体内面の底部位置に着脱自在に設置して、植物特有の性質である呼吸・炭酸同化・蒸散作用等の為の気体の通路となる微細で無数の気孔を具有したこの特性を泡立ちの活性化と維持持続に活用した飲料用容器。
【考案の効果】
【０００５】
容器本体に発泡能力を具備させた器が開示又は市販されているが、発泡を促す中枢部となる発泡源（本考案の気孔に相当）を容器内面に直接加工を施して容器に同化させて其の表面はスリガラス状あるいは粗目状をなしているので特に手の届かない底部の洗浄が充分に出来難い欠点がある。そこで本考案に於いては（１）、請求項１により年輪層を上下面に位置して輪切りにした木材片が具有する天然素材の特性を活用するので発泡源となる中枢部（気孔）を新たに加工する事無く（２）、請求項２による木材片に弾性材を付加して液中に浮上させない為の工夫と対処が主体となり（３）、請求項３に於いては、気孔上部上面から多量に泡が発生するが下部下面からも若干の泡が発生するので材が持つ限られた能力を確保する為に、木材片と容器底部の間に液体を循環させる為の空間を設ける。但し、上面からの発泡量で充分に足りる場合はこの限りではない。（４）、他の利用法として木材片に嗜好に応じた芳香剤を添加して好みの香りを選択出来る様にすれば水道水のカルキ等の臭いも気にする事無く飲料する事が出来る等の利用範囲が広がり、その点前述の考案、発明とは大きく異なる。したがって本考案で加工された発泡性を持つ木材片の表面は平滑で、容器本体に着脱自在に設置されるので使用後の洗浄も容易となる。又、ビ−ルや発泡系飲料の注入によって木材片が具有する気孔からの気泡がより泡立ち飲料欲を向上させる。
【考案を実施するための最良の形態】
【０００６】
以下、本考案の実施の形態を示す図面に基づき説明する。
【実施例１】
【０００７】
図１は木材片１の平面図であって、木材を輪切りにしたその年輪層１aが図１、図２に示す如く下面１cから上面１dに亘る様円形に形成している。而して、この木材片１は図４−Ａに示す如く容器本体３の内面底部位置の側部３dに設置される。従って、その容器本体３の形状に適合するものであるから円形に限定されるものではなく角型でもよい。この木材片１は図２の如く平板状に加工を施して、その外周には半円形に切り込んだ溝１eに示す位置に、ゴム又は樹脂で加工された柔軟で弾力性のある弾性リング２を嵌め込んでおり、図４−Ａに示す如く底面３aと空間４を形成する様、容器本体３内面の底部位置の側部３dに弾圧着している。この空間4に液体を循環させる手段として、図11の如く木材片１外周の一部分を空間４に通じる上下方向の切込み１fを入れるか又は、１dと１cを貫通する小径の孔を任意の場所にあけて循環させる。
【実施例２】
【０００８】
図４−Ａ断面図に於いて空間４を設定する手段は様々で、其の一例として次のとおり。木材片１を図７、８に示す如く、その表面の片面又は両面に溝状の切り目１gを入れるか、あるいは図９、10の如く皿状の窪み１hを設ける等々によって、木材片１が底面３aと接しても空間４を確保する事が出来る。又は、木材片１に合致する容器を択ぶのもよい。例えば（１）、容器内面３d下部と底面３aの端部が交わる隅に位置する曲線３eが大きければ空間４は上方に広がり、小さければ下方に狭まる。（２）、底面３aの中央部が図４−Ｂに示す如く、やや盛り上がった容器であれば、その高低差によって周縁部に空間４を確保出来るので、それぞれに調整する事が出来る。
【実施例３】
【０００９】
図５は異なった実施例で、気孔１bの上部上面１dより多量の気泡が発生するが、下部下面１cからも若干の気泡が出てくるので限られた発生能力を有効に利用する為に、図５に示す如く、容器本体３内面の底部３aより下方に窪みを設けて、その底面３bと木材片１との間に空間４を形成する。具体的には弾性リング２を窪みの上部位置の側部４aに弾圧着させている。この様にして形成された空間４の端部から、其の内面側部４aを通り底部３aを結ぶ液体流入口３cを設けて液体を循環させる。
【図面の簡単な説明】
【００１０】
【図１】木材片と弾性リングを組合せた平面図
【図２】同上の断面図
【図３】弾性リングの斜視図
【図４−Ａ】容器本体に木材片を設置した断面図
【図４−Ｂ】図４−Ａの異なった断面図
【図５】異なる実施例を示す断面図
【図６】同上の平面図
【図７】異なる木材片の断面図
【図８】同上の平面図
【図９】異なる木材片の断面図
【図１０】同上の平面図
【図１１】異なる木材片の平面図
【符号の説明】
【００１１】
１      木材片
２      弾性リング
３      容器本体
４      液体循環用の空間
【図１】
0003119543.tif 000003
【図２】
0003119543.tif 000004
【図３】
0003119543.tif 000005
【図４−Ａ】
0003119543.tif 000006
【図４−Ｂ】
0003119543.tif 000007
【図５】
0003119543.tif 000008
【図６】
0003119543.tif 000009
【図７】
0003119543.tif 000010
【図８】
0003119543.tif 000011
【図９】
0003119543.tif 000012
【図１０】
0003119543.tif 000013
【図１１】
0003119543.tif 000014
(57)【要約】      （修正有） 【課題】片手で安易に締め付けができ、ネジ山をつぶす危険が少なく、強度があり、しかも美的外観が確保できるジョイントコネクターナットを提供する。【解決手段】長円形状のナットあるいは複数の円筒を組み合わせた形状のナットを孔加工されたパネルに差し込むだけで位置決め、組みつけができるジョイントコネクターナットを提供する。【選択図】図１
0003119588.tif 000002
【実用新案登録請求の範囲】
【請求項１】
両端が半円長方形状を有することを特徴とするジョイントコネクターナット。
【請求項２】
２個以上の円筒が組み合わされた形状を有することを特徴とするジョイントコネクターナット。
【考案の詳細な説明】
【技術分野】
【０００１】
本考案は組みつけが容易なジョイントコネクターナットに関するもので
ある。
【背景技術】
【０００２】
従来のジョイントコネクターナットは円筒形のためメネジの方向あわせの必要があり作業性、強度、外観に問題があった。
【非特許文献１】（株）ムラコシ精工  ウエブカタログ  ４/１３の１８
【非特許文献２】（株）ハーフェレジャパン  ２００５年総合カタログ2.18
【考案の開示】
【考案が解決しようとする課題】
【０００３】
従来の円筒形ジョイントコネクターナット( クロスインサート方式のナットとも称される)は図５で示すように、側方向からのボルト８の締め付け用のドライバーとナット１１のメネジ孔をボルト８の真正面に向けるための方向調整用のドライバー１２が必要で両手を使う必要があり、ナット１１の方向調整が不十分の場合ボルト８あるいはナット１１のネジ山をつぶす危険性がある。又、角ナット或いは六角ナットを代用した場合、正確な位置決めが困難で、しかも挿入孔加工部分の角穴加工が非常に困難で、簡便なルーター加工或いはボーリング加工の孔では半円状の隙間が出来てしまうという問題点があった。
【課題を解決するための手段】
【０００４】
本考案は、従来の問題点を解決するもので、半円長方形、或いは円筒が組み合わされた形状のジョイントコネクターナットを提供することでメネジの方向あわせの必要をなくし、一本のドライバーのみで締め付けが出来る簡便性と外観上、強度上優れたジョイントコネクターナットを提供するものである。  
【考案の効果】
【０００５】
上述のように本考案の図１で示す両端が半円長方形のジョイントコネクターナット（以下長円ジョイントコネクターナットと称す）および図２で示す複数の円筒が組み合わされたジョイントコネクターナットは図３および図４で示すようにメネジの方向あわせの必要が無く簡単に片手で締め付けができ、面で締め付けるため強度上優れ、ジョイントコネクターナット自体にドライバー用の溝が無いため外観上優れ高級感を得ることができると共にボルトの侵入方向があわずに発生するネジ山をつぶす危険性が大幅に軽減される効果がある。
【考案を実施するための最良の形態】
【０００６】
以下、図１〜図５を参照して本考案の実施の形態に係る長円ジョイントコネクターナットおよび複数の円筒が組み合わされたジョイントコネクターナットの形態を説明する。
【実施例】
【０００７】
以下、添付図面に従って実施例を説明する。図１は長円ジョイントコネクターナットの形態を説明した斜視図である。１は長円ジョイントコネクターナットの先端が正半円の状態を表したものである。締め付け用メネジ２はセンター１箇所に限定せず複数の場合も含まれる。
【０００８】
図２は複数の円筒が組み合わされたジョイントコネクターナットの参考斜視図である。複数の円筒の各直径は同一サイズに限定しない。締め付け用メネジ２はセンター１箇所に限定せず複数の場合も含まれる。
【０００９】
図３は長円ジョイントコネクターナットを使用した場合の組み付け状態を説明した透視斜視図である。図に示すように長円ジョイントコネクターナット３を孔４に挿入しドライバーでボルト８を締め付けする事によりパネルA１３とパネルB14を簡単にジョイントすることが出来る。ナットの入る孔４はナット３の先端アールに合うルーターピットを装着したルーターマシンによる直線加工により簡単に加工できるものである。
【００１０】
図４は複数の円筒の組み合わされたジョイントコネクターナットを使用した場合の組み付け状態を説明した透視斜視図である。図に示すように円筒の組み合わされたナット６を孔９に挿入しドライバーでボルト８を締め付けする事によりパネルA13とパネルB14を簡単にジョイントすることが出来る。ナット６の入る孔９はボーリングマシンで簡単に加工できるものである。
【００１１】
図５は従来型の円筒形ジョイントコネクターナットを使用した場合の組み付け状態を説明した透視斜視図である。ナット１１を孔１０に挿入後ボルト８をナット１１にかみ合わせる為にはナット１１のメネジ孔をボルト８の真正面に向けてやる必要があり、そのためドライバー１２で微妙な調整をする必要があり、少し斜めにボルトが入った場合ネジ山をつぶす場合が多々見受けられる。    
【図面の簡単な説明】
【００１２】
【図１】本考案の長円ジョイントコネクターナットの形状を示す斜視図である。
【図２】本考案の複数の円筒が組み合わされたジョイントコネクターナットの形状を示す斜視図である。
【図３】本考案の長円ジョイントコネクターナットの組み付け状態を示す透視斜視図である。
【図４】本考案の複数の円筒が組み合わされたジョイントコネクターナットの組み付け状態を示す透視斜視図である。
【図５】従来の円筒形ジョイントコネクターナットの組み付け状態を示す透視斜視図である。
【符号の説明】
【００１３】
１  先端が正半円であることを示す
２  メネジ
３  長円ジョイントコネクターナット
４  長円に加工された孔
５  貫通孔
６  複数の円筒が組み合わされたジョイントコネクターナット
７  貫通孔
８  締め付け用ボルト
９  円筒が組み合わされた形状に加工された孔
１０  円筒形に加工された穴
１１  従来型ジョイントコネクターナット
１２  方向あわせ用ドライバー
１３  パネルA
１４  パネルB  
【図１】
0003119588.tif 000003
【図２】
0003119588.tif 000004
【図３】
0003119588.tif 000005
【図４】
0003119588.tif 000006
【図５】
0003119588.tif 000007
(57)【要約】      （修正有）【課題】水切り効果を高め、且つ平ほぞを加工した束柱の前記平ほぞの腐食を防止できる、ベランダ等の束柱の基礎に使用される通気構造を有する束石を提供する。【解決手段】角錐台形状を有する束石１は御影石等の天然石から形成され、該束石１の上面中央に束柱Ａの平ほぞが嵌入する所要口径、所要深さのほぞ穴２を凹設する。前記ほぞ穴２には、束石１の外側面から前記ほぞ穴２の底面に連通する通気孔３を穿設する。前記通気孔３は前記ほぞ穴部分からの排水を可能とするように通気孔３底面を外側面方向に向けて下り勾配面に形成する。前記通気孔３は、一側面から他側面に一直線となるように貫通形成すれば通気が良好となる。【選択図】図１
0003119582.tif 000002
【実用新案登録請求の範囲】
【請求項１】
上面中央に所要口径、所要深さのほぞ穴を凹設してなる束石において、前記ほぞ穴の底面から外側面に貫通する通気孔を穿設し、該通気孔の底面を外側面方向に向けて下り勾配面に形成してなることを特徴とする通気構造を有する束石。
【請求項２】
前記通気孔は、一側面から他側面に一直線となるように貫通形成してなることを特徴とする請求項１記載の通気構造を有する束石。
【考案の詳細な説明】
【技術分野】
【０００１】
本考案は、木造建築における床束の基礎構造に関し、特にベランダ等の束柱の基礎に使用される通気構造を有する束石に関する。
【背景技術】
【０００２】
従来、束石と束柱との接合構造として、束柱の下端に平ほぞを削り出し、該平ほぞを束石に凹設した掘削孔に嵌入するものや、束石に固定した羽子板を介して束柱を束石に接合するものなどがある（特許文献１を参照）。
前記平ほぞを加工した束柱の場合、長年使用すると雨水などが浸入して前記平ほぞが腐食し束柱の固定ができなくなる。
そこで、本出願人は、束柱の支持面に浸入する雨水などの水切りを達成する束石を考案した（特許文献２を参照）。
この考案は、上面中央に所要径、所要深さの掘削孔を凹設してなる束石において、前記上面に前記掘削孔から外周面に渡って所要数の水切り溝を刻設し、該水切り溝の底面を外周面に向けて下り勾配面に形成してなるものである。
【特許文献１】特許第３０４４２３７号公報
【特許文献２】登録実用新案第３０１７７９５号公報
【考案の開示】
【考案が解決しようとする課題】
【０００３】
本考案は、前記考案を改良し、より水切り効果を高め、且つ平ほぞを加工した束柱の前記平ほぞの腐食を防止できる、ベランダ等の束柱の基礎に使用される通気構造を有する束石を提供することを目的とする。
【課題を解決するための手段】
【０００４】
本考案の通気構造を有する束石は、上面中央に所要口径、所要深さのほぞ穴を凹設してなる束石において、前記ほぞ穴の底面から外側面に貫通する通気孔を穿設し、該通気孔の底面を外側面方向に向けて下り勾配面に形成してなるものである。
前記通気孔は、一側面から他側面に一直線となるように貫通形成してなるものである。
【考案の効果】
【０００５】
本考案の通気構造を有する束石は、風雨に晒されるような渡り廊下、ベランダ等に使用しても、束石に形成した通気孔を介して束柱の平ほぞが空気乾燥されため、束柱が腐食することがない。
【考案を実施するための最良の形態】
【０００６】
本考案の通気構造を有する束石の一実施例を図面に基づいて、以下に説明する。
図１に示すように、角錐台形状を有する束石１は御影石等の天然石から形成され、該束石１の上面中央に束柱Ａの平ほぞが嵌入する所要口径、所要深さのほぞ穴２を凹設する。
前記ほぞ穴２には、束石１の外側面から前記ほぞ穴２の底面に連通する通気孔３を穿設する。
前記通気孔３は前記ほぞ穴部分からの排水を可能とするように通気孔３底面を外側面方向に向けて下り勾配面に形成する。
【０００７】
前記通気孔３は、図２に示すように、一側面から他側面に一直線となるように貫通形成すれば通気が良好となる。
前記通気孔３は、この実施例では対向する２側面の２箇所であるが、それぞれの４側面に形成して４箇所とすることもできる。
なお、この実施例では束石を角錐台形状としたが、角錐台形状に代えて円錐台形状としそれぞれ通気孔を貫通形成することもできる。
【０００８】
束石１に束柱Ａを接合組立する場合は、図３に示すように、束石１のほぞ穴２に束柱Ａの平ほぞが嵌入され、束柱Ａが束石１に直立立設される。
前記ほぞ穴の底部は、通気孔３と連通しているので、常に前記ほぞ穴２が外気に曝され、束柱Ａの平ほぞが外気に曝され乾燥される。
また、前記連通孔３の底部は、外側面方向に向けて下り勾配面に形成されているので、前記ほぞ穴部分からの排水を可能としている。
したがって、本考案の通気構造を有する束石１は、風雨に晒されるような渡り廊下、ベランダ等に使用しても、束石１に形成した通気孔３を介して束柱Ａの平ほぞが空気乾燥されため、束柱Ａが腐食することがない。
【図面の簡単な説明】
【０００９】
【図１】本考案の束石の斜視図である。
【図２】本考案の束石の透視断面を示す斜視図である。
【図３】本考案の束石と束柱の組立構造を示す斜視図である。
【符号の説明】
【００１０】
１  束石
２  ほぞ穴
３  通気孔
【図１】
0003119582.tif 000003
【図２】
0003119582.tif 000004
【図３】
0003119582.tif 000005
(57)【要約】      （修正有）【課題】従来のコーナーカバーの様に両面テープ等の粘着材を用いることなく、テーパ部の挟みで被板材に簡易に取付け可能なテーパを有する新規なコーナーカバーを提供する。【解決手段】平板板用のコーナーカバーがあって、樹脂製素材でコの字型からなる左右直角に連接する本体部１からなるコーナーカバーである。また、本体部１は、前端部の開口部２が背面部３からテーパ状に挟まっているコーナーカバーである。【選択図】図１
0003119572.tif 000002
【実用新案登録請求の範囲】
【請求項１】
平板板用のコーナーカバーであって、樹脂製素材でコの字型からなる左右直角に連接する本体部１からなることを特徴とするコーナーカバー。
【請求項２】
前記本体部１は、前端部の開口部２が背面部３からテーパ状に狭まっていることを特徴とする請求項１記載のコーナーカバー。
【請求項３】
前記本体部１は、前記開口部２の空き幅４と本体背面部の内幅５との幅比が０．８〜１．３：２となるように設定してあることを特徴とする請求項１及び請求項２記載のコーナーカバー。
【考案の詳細な説明】
【技術分野】
【０００１】
本考案は、板ガラス、アクリル板、鉄板等の角部を保護するコーナーカバーであり、さらに詳しくは、左右直角に延設する本体部をコの字状に前端部を開口して被板材の角部を挟持しながら被覆保持することを特徴とするコーナーカバーである。
【背景技術】
【０００２】
従来のコーナーカバーは、板ガラス、アクリル板、鉄板等の角部を保護する場合に、実用新案第３０２９７６９号「角丸コーナーカバー」に開示するように、コの字状に開口した四角形状の本体部の一部をＶカット部から上下に開放し、本体部の内側に予め取付けてある両面テープで板ガラス等に接着させて、角部が人体に接触することを防止している。
【特許文献１】実用新案第３０２９７６９号公報
【考案の開示】
【考案が解決しようとする課題】
【０００３】
上記記載の角丸コーナーカバーは、角部を保護して人体の板ガラス等が直接接触することを防止しているが、カバーにＶ字カット部を設けたり両面テープを予め貼っておかねばならなかったために、製造工程での負担が大きかった。
【０００４】
被覆対象である板ガラス、アクリル板、鉄板等は平板であるが、使用用途によっては厚み幅が自在に代えられることもあり、上記の角丸コーナーカバーの場合には被板材の厚みに対応するものしか使用できないという制限があった。
【課題を解決するための手段】
【０００５】
本考案者は、係る課題を解決するために鋭意研究したところ、従来のコーナーカバーの様に両面テープ等の粘着材を用いることなく、テーパ部の挟みで被板材に簡易に取付け可能な新規なコーナーカバーを提供することができた。
【０００６】
すなわち本考案の第一は、平板板用のコーナーカバーであって、樹脂製素材でコの字型からなる左右直角に連接する本体部１からなることを特徴とするコーナーカバーである。
【０００７】
本考案の第二は、前記本体部１は、前端部の開口部２が背面部３からテーパ状に狭まっていることを特徴とする請求項１記載のコーナーカバーである。
【０００８】
本考案の第三は、前記本体部１は、前記開口部２の空き幅４と本体背面部の内幅５との幅比が０．８〜１．３：２となるように設定してあることを特徴とする請求項１及び請求項２記載のコーナーカバーである。
【考案の効果】
【０００９】
本考案のコーナーカバーは、左右直角方向に延設する本体部で被板材の角部を保護するために、人体が接触しても人体を傷つけることはないという効果を有する。
【００１０】
また本考案のコーナーカバーは、開口部２の空き幅４と本体背面部の内幅５との幅比が０．８〜１．３：２となるように設定してあることから、被板材の角部に外方向から押し込むと、前端の開口部が押し広げられて被板材が本体背面部の内面に接触するために、本体部自体で被板材を挟持できるようになっている。
【００１１】
被板材がガラス板のように端部が傷つきやすい素材である場合に、角部に本発明のコーナーカバーを取付けておくことによって、素材を立てかける際に角部を保護することが可能となり、移動時の破損を防止できるという効果を併せて有している。
【考案を実施するための最良の形態】
【００１２】
以下、図面を参照して本考案のコーナーカバーを説明する。
【実施例１】
【００１３】
図１は、本考案のコーナーカバーを示す斜視図である。本体部１は、図２の平面図に示すように左右直角に延設しており、前端側には開口部２を有して背面部３と一体成形されている。
【００１４】
側面形状としては、図３に示すＡ矢視のように前端側に沿ってテーパー形状に狭まっており、本実施例においては前端側の空き幅４を５．５ｍｍとした場合、背面部内面の内幅５を１０．３３ｍｍしたが、好ましい幅比率して０．８〜１．３：２の範囲が適していることを確認している。
【００１５】
本考案で用いた樹脂は、ＡＢＳ樹脂であるが、この場合、厚みを０．８ｍｍとなるように一体成形している。なお、用いる樹脂としては、上記のＡＢＳ樹脂のみでなく、ポリプロピレン樹脂等のある程度の強度を有し、透明素材であれば本考案に用いることができるのは当然である。
【００１６】
上記コーナーカバーは、被板材として板ガラス、アクリル板、鉄板等の平板材の角部に取付けるが、例えば０．８ｍｍ厚の板ガラス材を用いた場合、コーナーカバーの前端側の空き幅４は５．５ｍｍであるから、斜め方向にして外側から押し広げるようにして板ガラスの角部を挟持する。
【実施例２】
【００１７】
図４は、本考案に係る別な形態のコーナーカバーを示す平面図である。実施例１のコーナーカバーに比較して左右に延設する部位を２倍の長さに保って成形し、被板材の角部面積を少しでも保護する場合に有効なコーナーカバーを提供するものである。
【図面の簡単な説明】
【００１８】
【図１】本考案のコーナーカバーを示す斜視図である。
【図２】図１の平面図である。
【図３】図２のＡ矢視における側面図である。
【図４】他の実施例を示す平面図である。
【符号の説明】
【００１９】
１・・・本体部
２・・・開口部
３・・・背面部
４・・・空き幅
５・・・内幅
【図１】
0003119572.tif 000003
【図２】
0003119572.tif 000004
【図３】
0003119572.tif 000005
【図４】
0003119572.tif 000006
(57)【要約】【課題】幾何学的、立体的なシャギーカットを容易にする。【解決手段】１．本考案は、通常のカット櫛の一部約２ｃｍ幅の凸部を作り、スタイルに合わせて櫛に上下を使い分け、その部分で上からとかすと桶状の溝になり、下からとかすと屋根状になり、左手指で毛髪を指間し、上からは拇指で溝状を、下からは示指で屋根状を保ちながらレーザーで削る。２．櫛の凸部を利用して、スタイルに合わせて毛髪を上からでも下からでも二つ折りに指間出来、二つ折りのまま鋏で斜めにカットする。【選択図】図１
0003119191.tif 000002
【実用新案登録請求の範囲】
【請求項１】
ヘヤ−カット櫛の歯元一部に歯の異なる長さの部分を作り、毛髪を桶状の溝、屋根状等の立体にとかせるために突起部（凸）をもうけたシャギーカット用櫛。
【考案の詳細な説明】
【技術分野】
【０００１】
本考案は、理容、美容のヘヤ−カット櫛に関するものである。
【背景技術】
【０００２】
従来のカット櫛は歯元が直線的に揃っているので、正確なカットには有効だが平面的なヘヤ−になりやすい。現代はラフで立体的な髪形が多く求められている。
【考案の開示】
【考案が解決しようとする課題】
【０００３】
現代はヘヤ−スタイルが多様化し幾何学的に複雑になり、高度なカットテクニックが必要となった。複雑な技術を容易にするために、立体的にとかせる櫛を考案した。
【課題を解決するための手段】
【０００４】
櫛の一部歯元２ｃｍ〜３ｃｍほどの幅を凸状にして歯の長さを異ならせた。凸状を利用して毛髪をとかすと桶状の溝すなわち立体化する。
【考案の効果】
【０００５】
桶状の溝のままで指間した毛髪をレーザーで、鋏で削ると、あたかも鳥の羽のようなカット、現代風の自然なシャギーヘヤ−となる。
【考案を実施するための最良の形態】
【０００６】
ヘヤ−カット櫛の歯元一部に歯の異なる長さを求めるために、突起部（凸）をもうけた（シャギーカット櫛）。
【実施例】
【０００７】
縦横２ｃｍ〜３ｃｍ幅にスライスした毛髪を凸部を使って上からとかすと桶状の溝が生じ、左手で指間して拇指を伸ばし桶状の部分を押さえ、溝を保ちながら右手レーザーで上から削る。
【０００８】
縦横２ｃｍ〜３ｃｍ幅にスライスした毛髪を凸部を使って下からとかすと屋根状になる。左手指で指間したまま示指を下から伸ばし、屋根状を支えながら、下からレーザーで削る。
【０００９】
縦横２ｃｍ〜３ｃｍ幅にスライスした毛髪を凸部を使って上からとかし桶状の溝を作る。左手拇指と示指で毛髪を指間して、左手首を右に１／４回転する（中指,薬指が下に向く）。櫛の後ろに中指・薬指を伸ばして、桶状の毛髪を下から二つ折りに指間しかえ櫛をはずして二つ折りに指間したまま上から鋏で斜めにカットする。
【００１０】
縦横２ｃｍ〜３ｃｍにスライスした毛髪を凸部を使って、下からとかし屋根状を作る。左手指で指間したまま櫛の後ろに中指・薬指を伸ばして屋根状を二つ折りに指間しかえ櫛をはずして二つ折りのまま下から鋏で小刻みに斜めにカットする。
【図面の簡単な説明】
【００１１】
【図１】本考案のシャギーカット櫛の図面である。
【図２】イ、ロ、ハ、ニ、ホは、カットされた毛髪の毛束を表している。    イ．[００１２]のカットを斜め上から見た状態である。    ロ．[００１３]と[００１４]のカットを横から見た状態である。    ハ．[００１５]のカットを斜め上から見た状態である。    二．[００１６]と[００１７]のカットを横から見た状態である。    ホ．[００１８][００１９][００２０][００２１]のカットを真上から見た状態である。
【符号の説明】
【００１２】
１．シャギーカット櫛本体
２．通常の直線歯元
３．櫛の長さの異なる凸部
４．スライスを行う筋やり
【図１】
0003119191.tif 000003
【図２】
0003119191.tif 000004
(57)【要約】      （修正有）【課題】温蕎麦の具として用いる鴨肉の脂身や肉汁がすばやくつゆの中に溶け込む様にする。【解決手段】鴨肉をミンチにして薄あげの中に包み込み、予め蕎麦の返しつゆの中で煮込んだ具を、温蕎麦に盛合せ、具の形を保持しながらうまみをつゆの中に溶け込ませる。【選択図】図１
0003119152.tif 000002
【実用新案登録請求の範囲】
【請求項１】
ミンチ状に加工した鴨肉を薄あげで包み込みこんだ具と、蕎麦麺と、つゆで構成したことを特徴とする温蕎麦
【請求項２】
請求項１において、具を蕎麦の返しつゆの中で煮込んで調理し、蕎麦麺に盛り合わせたことを特徴とする温蕎麦
【考案の詳細な説明】
【技術分野】
【０００１】
本考案は、温蕎麦と温蕎麦に盛り合わせる具に関するものである。
【背景技術】
【０００２】
従来の温蕎麦の具としては、野菜や海老の天ぷらや鴨肉などがある。鴨肉の場合は、スライス状にしたものや、角切り状にしたものが普及している。その他には、地方の特産物を具に使用する場合も多い。温蕎麦の場合には蕎麦麺の腰や蕎麦粉と小麦粉の割合やゆがき方、つゆの場合はだしの種類や薬味、具の場合は各種各様のネタと調理方法によって夫々の特徴を持たせている。
【考案の開示】
【考案が解決しようとする課題】
【０００３】
具の材料の中にはあげや鴨肉の切り身を用いて調理する方法があり、だし汁に脂身や肉汁を溶け込ませることで特徴を持たせている。しかしながら、肉の脂身や肉汁などのうまみ成分をつゆに十分染み込ませるには、具を細切れにするなど、具の原型をかなり壊す必要があった。本考案は、具の形はなるべく壊さず、つゆに具の脂身や肉汁が染み出し易いように調理することにある。
【課題を解決するための手段】
【０００４】
本考案は、薄あげの中に、予めミンチにし蕎麦の返しつゆの中で煮込んだ鴨肉を詰め込んだ。
【考案の効果】
【０００５】
本考案の具は、事前の煮込みにより薄あげの中に脂身や肉汁が溶け出した状態にある。薄あげの内部の水分は温蕎麦のつゆと同じ成分であるため、温蕎麦に具を盛り合わせたあと直ぐに脂身や肉汁が蕎麦つゆの中に溶け出す為、調理の後直ぐに具の味覚を味わえる。
【考案を実施するための最良の形態】
【０００６】
事前に蕎麦とつゆと具を準備し、食事の直前に蕎麦とつゆと本考案の具を食器の中で盛り合わせる。  
【実施例１】
【０００７】
ゆがいて盛り付けた蕎麦と、１００℃に加熱したつゆと、薄あげの中に返しつゆの中で煮込みミンチにした鴨肉を詰め込んだ具を用意し、注文に応じて食器に盛り合わせ温蕎麦とする。図１は、本考案に関わる温蕎麦の盛り合わせた状態を示すもので、１は蕎麦麺、２は具であり、２aは薄あげ、２ｂは鴨肉ミンチ、３はつゆを示す。
【産業上の利用可能性】
【０００８】
具に鴨肉を用いる温蕎麦には、鴨蕎麦や鴨南蛮蕎麦などがある。これらは調理した鴨肉の切り身を使用しているが、蕎麦つゆに徐々に肉汁が溶け込み、うまみが増すため人気商品になっている。本考案の具は加工が容易であり、つゆに浸した後直ぐに肉汁が溶け出すため、食べ始めから具のうまみを実感できる。このため新しい温蕎麦としての人気が高まり、蕎麦の需要が伸びる。
【図面の簡単な説明】
【０００９】
【図１】温蕎麦を盛合わせた状態図
【符号の説明】
【００１０】
１  蕎麦麺
２  具
２ａ  薄あげ
２ｂ  鴨肉ミンチ
３  つゆ
４  容器
【図１】
0003119152.tif 000003
(57)【要約】      （修正有）【課題】モップ布の構造を提供する。【解決手段】基礎布１１と少なくとも一つの細繊維布とからなり、当該基礎布は、面積がモップ先とほぼ同じである合成繊維布で、モップ先３との間に、タッチファスナー４構造があり、もう一側に、少なくとも一つの細繊維布が縫合され、所定の面積である基礎布に、細繊維布の造型により、数倍の面積を持たせ、モップ布の掃除能力や貯水能力が向上され、また、結合構造により、当該モップ布全体とモップ先とが結合され、また、両者を分離して洗うことができる。【選択図】図２
0003119151.tif 000002
【実用新案登録請求の範囲】
【請求項１】
主として、基礎布と少なくとも一つの細繊維布とからなり、
当該基礎布は、モップ先に応じる一面に、タッチファスナー構造があり、もう一側に、少なくとも一つの細繊維布が縫合され、当該細繊維布の縁が、互いに抵当することにより立ち上がって、これにより、基礎布の数倍の面積が得られ、モップ布の掃除能力と操作便利性が向上される、
ことを特徴とするモップ布の構造。
【請求項２】
当該細繊維布は、寄せて縫合することにより湾曲且つ凹凸である立体の皺寄せが形成される、ことを特徴とする請求項１に記載のモップ布の構造。
【請求項３】
当該細繊維布は、中央で縫合される、ことを特徴とする請求項２に記載のモップ布の構造。
【請求項４】
当該細繊維布は、一側で縫合される、ことを特徴とする請求項２に記載のモップ布の構造。
【考案の詳細な説明】
【技術分野】
【０００１】
本考案は、モップ布の構造に関し、特に、基礎布に、長い細繊維布を縫合することにより、皺寄せの立体造型になることにより、基礎布の数倍の面積を持ち、モップ布の掃除能力が向上されて、モップ布の清潔効果が得られるものに関する。
【背景技術】
【０００２】
一般の従来のモップは、粗木綿糸や布を、モップ先の主な組成材料とし、粗木綿糸や布が、吸水性が良いが、その繊維構造が緊密であるため、有効に灰塵や微小粒子を集める空間を提供できず、モップ先が地面の灰塵や微小粒子を掃除する効果に大幅に影響し、また、粗木綿糸や布の付着力が良いではないため、付着したゴミが、不注意に、地面に落とされることがあるから、確実に優れた清潔効果が得られない。
【０００３】
従来のモップ先は、吸水後、重量が、元の３や４倍になり、大部分の女性ユーザーにとって、モップ先の水分をねじり出す時、非常に苦労なことであり、ユーザーが不便であるたけでなく、長時間に使用すると、容易に疲れる。
【考案の開示】
【考案が解決しようとする課題】
【０００４】
本考案の主な目的は、既存のモップ布の構造について、重量が重い且つ清潔効果が制限される欠点を解消して、重量が軽い且つゴミの付着能力が良い構造を持つ、清潔効果が良い且つ水分をねじり出すことが容易であるモップ布の構造を提供する。
【課題を解決するための手段】
【０００５】
本考案は、主として、基礎布と少なくとも一つの細繊維布とからなり、当該基礎布は、面積がモップ先とほぼ同じである合成繊維布で、モップ先との間に、結合構造があり、もう一側に、少なくとも一つの細繊維布が縫合され、所定の面積である基礎布に、細繊維布の造型により、数倍の面積を持たせ、モップ布の掃除能力や貯水能力が向上され、また、結合構造により、当該モップ布全体とモップ先とが結合され、また、両者を分離して洗うことができるから、便利である。
【０００６】
本考案は、既存のものに比較すると、次の利点が得られる。
1、本考案は、構造が簡単であるため、製造が容易で、製造コストが低減される。
2、本考案に係わるモップ布は、地面にある灰塵や微小粒子を集める構造により、有効に、モップ布の清潔効果が向上される。
3、本考案は、操作が容易で、省力であるため、ユーザーの体力負荷が低減される。
【考案を実施するための最良の形態】
【０００７】
本考案は、モップ布の構造であり、主として、基礎布11と少なくとも一つの細繊維布12とからなり、当該基礎布11は、強度が高い、任意に湾曲しても変形しなくて大きい面積を維持できる合成繊維布であり、その少なくとも一つの面に、モップ先3と互いに結合する構造があり、もう一側に、予めに決められた方式により少なくとも一つの細繊維布12が縫合され、これにより、当該モップ布1全体とモップ先3とを結合して使用されることができ、また、両者を分離して洗うことができる。
【０００８】
図1と図2は、本考案のより良い実施例であり、当該基礎布11は、モップ先3の外型に合わせて、対応する外型や面積が形成され、また、基礎布11とモップ先3に、タッチファスナー4構造がある。
【０００９】
当該細繊維布12は、超細繊維で、星形編みにより製作され、優れた吸水性や掃除性を有し、例えば、3Mの高機能ワイピングクロスであり、細長い切れ状に形成され、基礎布11の表面に配列されて縫合され、基礎布11の全面に、当該細繊維布12が覆われるようになり、特に、当該細繊維布12が縫合される前に、図3のように、当該細繊維布12を中央か一側に寄せて縫合することにより、湾曲且つ凹凸である立体の皺寄せが形成される巻縮状の内繊維布121と外繊維布122が作製され、そして、当該外繊維布122を基礎布11の外周に縫合し、内繊維布121を、等距離に基礎布11の全面に縫合し、また、内繊維布121同士の布の縁123が、互いに抵当することにより立ち上がる。
【００１０】
上記の構造により構成された本考案に係わるモップ布1は、簡単に、水分がねじり出され、また、タッチファスナー4により、簡単にモップ先3に貼り付けられ、また、湾曲である皺寄せ構造が形成されるため、やや小さい基礎布の面積が、細繊維布12の造型により数倍の面積になり、掃除能力が向上され、また、当該細繊維布の優れた貯水能力により、モップの使用時間が長くなり、そして、当該モップ布1を清潔する時、容易に、当該モップ先3から分離される。
【００１１】
上記のように、本考案は、予定な目的を達成でき、また、出願する前、同じな構造を持つものが公開されないため、法に従って実用新案登録請求を出願する。
【００１２】
以上は、本考案のより良い実施例であるが、本考案は、其れによって制限されず、また、本技術を良く分かる熟練者であれば、本考案の精神や実用新案登録請求の範囲に従って、等価な修正や変更ができ、また、当該修正や変更は、全てが、本考案の実用新案登録請求の範囲に含まれる。
【図面の簡単な説明】
【００１３】
【図１】本考案の立体構造の概念図
【図２】本考案の断面概念図
【図３】内繊維布の外観概念図
【図４】外繊維布の外観概念図
【符号の説明】
【００１４】
1      モップ布
11     基礎布
111    タッチファスナー
12     細繊維布
121    内繊維布
122    外繊維布
123    布の縁
3      モップ先
4      タッチファスナー
【図１】
0003119151.tif 000003
【図２】
0003119151.tif 000004
【図３】
0003119151.tif 000005
【図４】
0003119151.tif 000006
(57)【要約】      （修正有）【課題】ズボンを吊るして整理するハンガーの、ズボンの皴や折り目や型崩れを気にしながら収納する手間をかけず、簡単かつ単純にズボンを吊るして収納することができるズボンハンガーを提供する。【解決手段】固定側アーム２内部にスプリング４を仕込み、可動側アーム３を伸縮してアーム全長を可変することで、異なる裾の広さを持つ多種多様なズボンであっても、アーム両翼端に二股に配したフック５、７及び６、８の間にズボンの両裾を差し入れてズボンを係止することができ、また差し入れた後はそのスプリングの広がる力を利用して、係止したズボンが落ちること無く吊るして収納する。このことにより、重力の働きでズボンの自重を利用してズボンの皴や折り目に気を使うことや型崩れを防ぎ、ズボン専用であることから上着に隠れてズボンの保存状態がわかりにくいということが無くなる。【選択図】図１
0003119150.tif 000002
【実用新案登録請求の範囲】
【請求項１】
本考案は、衣料品の中でも主にズボンを整理収納することを目的とするハンガーであり、ハンガーのアームの一翼の内部にスプリングを仕込み、もう一翼のアームをスプリングの伸縮動作を利用して可動できる機構を有することにより、アーム全長を可変して異なる裾の広さを持つ多種多様なズボンでも、ハンガーのアームを収縮してアーム両翼端に二股に配したフック間にズボンの両裾を差し入れてズボンを係止することができ、また差し入れた後はそのスプリングの広がる力を利用して、係止したズボンが落ちること無く吊るして収納することができるズボンハンガー。
【考案の詳細な説明】
【技術分野】
【０００１】
本考案はズボンの両裾をアーム両翼端に付いたフックに差し入れ、裾を上にして吊るすズボンハンガーに関するものである。
【背景技術】
【０００２】
家庭でズボンを整理するハンガーといえば、大抵の場合が上着を掛けることを目的としたハンガーの機能として付加されたもので、ハンガーの上着を掛ける部分の直下に付けた横棒のようなところにズボンの中ほどで折って掛けるものか、ハンガーの上着を掛ける部分の直下に設置した、ズボンを銜えるためのクリップ等の機構で腰周り部分を上にして吊るすものが見られる。  
【０００３】
しかし、上記のハンガーは上着の型崩れを気にしながら収納する手間をかけず、簡単かつ単純に上着を掛けることを主な目的としたものであり、ズボンに関しては皴やズボンの折り目を気にしながら収納する手間がかかることや、クリップ等の機構を使ったハンガーではさらに、ベルトが付いたままでいるとクリップに銜えにくいなどの問題がある。
【０００４】
しかも、上着を掛けた場合は、上着に隠れてズボンの保存状態がわかりにくいこととなり、上記の問題のようなズボンの型崩れの発見が困難となる場合もある。
【０００５】
また、店舗のズボン売り場やジーンズショップなどには、腰周りの部分をズボンの折り目に合わせてクリップ等で吊るすズボン専用のハンガーがあるが、これらは商品であるズボンの展示用であり、家庭での着用と収納を繰り返す用途に使用するものとは目的が違うことと、使用する際にはズボンの皴や折り目や型崩れを気にしながら収納する手間がかかるという問題は残されたままである。
【考案の開示】
【考案が解決しようとする課題】
【０００６】
ズボンを整理するハンガーとして、ズボンの皴や折り目や型崩れを気にしながら収納する手間をかけず、簡単かつ単純にズボンを収納することができるズボンハンガーを提供することを課題とする。
【課題を解決するための手段】
【０００７】
課題を解決するための手段として、ズボンの裾を上にして吊るすズボンハンガーといった特徴を持ち、ハンガーのアーム全長を伸縮可能にする機構を有することで、異なる裾の広さを持つ多種多様なズボンに対応させ、アーム両翼端に二股にフックを配することにより、フックにズボンの両裾を差し入れてズボンを係止すること、また差し入れた後はそのスプリングの広がる力を利用して、係止したズボンが落ちること無く吊るして収納できるようになっている。
【考案の効果】
【０００８】
ズボンの裾を上にして片裾づつ平衡して両裾を吊るすことで、重力の働きでズボンの自重を利用して皴や型崩れを防ぎ、腰周りを上にして吊るす方法のようにズボンの折り目に気を使うこともなく、ズボン専用であることから上着に隠れてズボンの保存状態がわかりにくいということは無くなり、ベルトを付けたままハンガーに吊るすこともできる。
【考案を実施するための最良の形態】
【０００９】
ズボンを吊るして収納することを目的としたハンガーで、ハンガー自体を吊るすフックをハンガー全体の重心位置に配置した、ズボンの裾の長さに対応した適当な長さを持つアームを有し、アームの一翼の内部にスプリングを仕込み、もう一翼のアームをスプリングの伸縮動作を利用して可動させ、アーム全長を可変できる機構を有することと、アーム両翼端にズボンの裾を差し入れて係止するためのフックを一対づつ両裾分備えることを最良の形態とする。
【実施例１】
【００１０】
図１は、本考案の１実施例の図であって、１はハンガー自体を吊るすためのフック、２は固定側のアーム、３は可動側のアーム、４はスプリング、５〜８はズボンの裾を差し入れて係止するためのフック、９は３の可動側アームを押し込んで収縮させる場合に２の固定側アームを支える取手である。
【００１１】
２の内部に４を仕込み、３を４の伸縮動作を利用してアーム全長を可変できる機構を有することにより、異なる裾の広さを持つ多種多様なズボンであっても、３を収縮してアーム両翼端に二股に配した５〜８のフックの５と７、及び６と８のフック間にズボンの片裾ごとにそれぞれ差し入れてズボンを係止し、また差し入れた後は４の広がる力を利用して、係止したズボンが落ちること無く吊るして収納する。
【産業上の利用可能性】
【００１２】
家庭で使用することを想定しており、衣料品の中でも主にズボンを整理するハンガーとして、ズボンの皴や折り目や型崩れを気にしながら収納する手間をかけず、簡単かつ単純にズボンを吊るして収納することができる。
【図面の簡単な説明】
【００１３】
【図１】ズボンハンガーの実施方法を示した説明図である。（実施例１）
【符号の説明】
【００１４】
１    ハンガー自身のフック
２    固定側アーム
３    可動側アーム
４    スプリング
５    ズボン裾用フックＡ
６    ズボン裾用フックＢ
７    ズボン裾用フックＣ
８    ズボン裾用フックＤ
９    取手
【図１】
0003119150.tif 000003
(57)【要約】      （修正有）【課題】髪を確実に挟んでクリップを頭部の所望位置に保持しておくことができるヘア・クリップを提供する。【解決手段】  ヘア・クリップは、対向状に配され、かつ回転自在に連結された上下一対の主クリップ片(1) (2) と、一対の主クリップ片(1) (2) に亘って設けられ、かつ主クリップ片(1) (2) を閉じる方向に付勢するスプリングとを備え、上側主クリップ片(1) の対向面すなわち下面に補助クリップ片(4) が一体的に設けられたものである。補助クリップ片(4) は主クリップ片(1) (2) の向きに対し２７度で斜め方向に設けられている。上下一対の主クリップ片(1) (2) は長さの後端寄りに設けられたブラケット部(1a) (2a) で水平ピン(5) で回転自在に連結され、水平ピン(5) を巻いてスプリングが設けられている。上側主クリップ片(1) の上面には複数の装飾片(6) が設けられている。【選択図】図１
0003119175.tif 000002
【実用新案登録請求の範囲】
【請求項１】
対向状に配され、かつ回転自在に連結された上下一対の主クリップ片(1) (2) と、一対の主クリップ片(1) (2) に亘って設けられ、かつ主クリップ片(1) (2) を閉じる方向に付勢するスプリング(3) とを備えたヘア・クリップにおいて、
上下主クリップ片(1) (2) の少なくとも一方に補助クリップ片(4) が設けられていることを特徴とするヘア・クリップ。
【請求項２】
補助クリップ片(4) が上下主クリップ片(1) (2) の少なくとも一方の対向面に設けられていることを特徴とする請求項１記載のヘア・クリップ。
【請求項３】
補助クリップ片(4) が主クリップ片(1) (2) の少なくとも一方の向きに対し斜め方向に設けられていることを特徴とする請求項１または２記載のヘア・クリップ。
【考案の詳細な説明】
【技術分野】
【０００１】
本考案は、髪を結束するヘア・クリップに関し、より詳細には、髪の結束をより確実に行うことができるヘア・クリップに関するものである。
【背景技術】
【０００２】
従来のヘア・クリップとしては、図５に示すように、長さの中間部で回転自在に連結された上下一対のクリップ片(11)(12)と、一対のクリップ片(11)(12)に亘って設けられてクリップ片(11)(12)を閉じる方向に付勢するスプリング(13)とを備えたヘア・クリップがよく用いられている。これは、一対のクリップ片(11)(12)の後端部をスプリング(13)の付勢力に抗するように握り締めて一対のクリップ片(11)(12)の前端部を開かせ、一対の前端部の間に髪を挟んで一対の前端部をスプリング(13)の付勢力で閉じるものである（特許文献１参照）。
【特許文献１】特開平８−３３６４１６号
【考案の開示】
【考案が解決しようとする課題】
【０００３】
しかし、上記のような構成のヘア・クリップでは、上下一対のクリップ片(11)(12)だけで髪を確実に挟んでクリップを頭部の所望位置に保持しておくことが困難であり、特に運動など激しい動きの間に髪が一対のクリップ片の間から徐々に抜け出て、ヘア・クリップを頭部の所望位置に保持できないという問題があった。
【０００４】
本考案は、上記のような問題点に鑑み、髪を確実に挟んでクリップを頭部の所望位置に保持しておくことができるヘア・クリップを提供することを課題とする。
【課題を解決するための手段】
【０００５】
本考案は、対向状に配され、かつ回転自在に連結された上下一対の主クリップ片(1) (2) と、一対の主クリップ片(1) (2) に亘って設けられ、かつ主クリップ片(1) (2) を閉じる方向に付勢するスプリング(3) とを備えたヘア・クリップにおいて、
上下主クリップ片(1) (2) の少なくとも一方に補助クリップ片(4) が設けられていることを特徴とするに係るものである。
【０００６】
上記補助クリップ片(4) は、上下主クリップ片(1) (2) の少なくとも一方の対向面、すなわち上側主クリップ片の下面、または下側主クリップ片の上面、に設けられていることが好ましい。
【０００７】
上記補助クリップ片(4) は、主クリップ片(1) (2) の少なくとも一方の向きに対し斜め方向、例えば２０〜４５度に設けられていることが好ましい。
【考案の効果】
【０００８】
本考案によれば、上下主クリップ片の少なくとも一方に補助クリップ片が設けられているので、上下一対の主クリップ片だけ出なく、補助クリップ片と一方の主クリップ片とでも髪を挟むことができ、髪の挾持を確実なものとしクリップを頭部の所望位置に保持しておくことができる。
【考案を実施するための最良の形態】
【０００９】
つぎに、本考案を図示の実施例に基づいて具体的に説明する。
【００１０】
図１〜４において、本考案によるヘア・クリップは、対向状に配され、かつ回転自在に連結された上下一対の主クリップ片(1) (2) と、一対の主クリップ片(1) (2) に亘って設けられ、かつ主クリップ片(1) (2) を閉じる方向に付勢するスプリング(3) とを備え、上側主クリップ片(1) の対向面すなわち下面に補助クリップ片(4) が一体的に設けられたものである。
【００１１】
補助クリップ片(4) は主クリップ片(1) (2) の向きに対し２７度で斜め方向に設けられている。
【００１２】
上下一対の主クリップ片(1) (2) は長さの後端寄りに設けられたブラケット部(1a) (2a) で水平ピン(5) で回転自在に連結され、水平ピン(5) を巻いてスプリング(3) が設けられている。
【００１３】
上側主クリップ片(1) の上面には複数の装飾片(6) が設けられている。
【００１４】
上記構成のヘア・クリップを用いて髪を挟むには、上下一対の主クリップ片(1) (2) の後端部をスプリングの付勢力に抗するように握り締めて一対の主クリップ片(1) (2) の前端部を開かせ（図１中の鎖線参照）、一対の前端部の間に髪を挟んで一対の前端部をスプリングの付勢力で閉じる。補助クリップ片(4) は上側主クリップ片(1) の下面に一体的に設けられているので、補助クリップ片(4) と下側主クリップ片(2) の前端部の間でも髪を挟むことができる。
【図面の簡単な説明】
【００１５】
【図１】実施例によるヘア・クリップを示す正面図である。
【図２】実施例によるヘア・クリップを示す平面図である。
【図３】実施例によるヘア・クリップを示す垂直断面図である。
【図４】図３中のIV−IV線に沿う断面図である。
【図５】従来のヘア・クリップを示す正面図である。
【符号の説明】
【００１６】
(1) ：上側主クリップ片
(2) ：下側主クリップ片
(3) ：スプリング
(4) ：補助クリップ片
(5) ：水平ピン
(6) ：装飾片
【図１】
0003119175.tif 000003
【図２】
0003119175.tif 000004
【図３】
0003119175.tif 000005
【図４】
0003119175.tif 000006
【図５】
0003119175.tif 000007